(57)【要約】【課題】シールにプリントされる画像のサイズ及び色を調整する。【解決手段】画像形成装置１は、タッチパネル１８１、カメラ１８２、及び制御部１１を備える。制御部１１は、取得部１１１、決定部１１２、生成部１１３、及び表示部１１４を備える。カメラ１８２は、シールを貼り付ける人体の部位Ｍを示す第１画像Ｐ１を生成する。取得部１１１は、第１画像Ｐ１をカメラ１８２から取得する。決定部１１２は、シールとして形成する画像を示す第２画像Ｐ２を決定する。生成部１１３は、第１画像Ｐ１及び第２画像Ｐ２に基づき、第２画像Ｐ２が形成されたシールを部位Ｍに貼り付けたときの外観を示す第３画像Ｐ３を生成する。表示部１１４は、第３画像Ｐ３をタッチパネル１８１に表示する。【選択図】図２
2018169669.tif 000002
【特許請求の範囲】
【請求項１】
シールを貼り付ける人体の部位を示す第１画像を取得する取得部と、
前記シールに形成する画像を示す第２画像を決定する決定部と、
前記第１画像及び前記第２画像に基づき、前記第２画像が形成された前記シールを前記部位に貼り付けたときの外観を示す第３画像を生成する生成部と、
前記第３画像を表示する表示部と、
を備える、画像形成装置。
【請求項２】
前記第１画像を生成する撮像部を更に備え、
前記撮像部と前記部位との距離は予め設定されている、請求項１に記載の画像形成装置。
【請求項３】
前記第２画像のサイズ及び色の少なくとも一方を調整する調整部を更に備える、請求項１又は請求項２に記載の画像形成装置。
【請求項４】
前記第１画像に基づいて、前記部位が前記人体の複数の部位を含むか否かを判定する判定部と、
前記判定部の判定結果に基づいて、前記第２画像を前記複数の部位に対応する複数の部分画像に分割する分割部と
を更に備える、請求項１から請求項３のいずれか１項に記載の画像形成装置。
【請求項５】
前記判定部は、前記第２画像を分割した複数の画像に対応する複数のシールを、それぞれ、前記複数の部位に貼り付けるか否かを更に判定する、請求項４に記載の画像形成装置。
【請求項６】
前記生成部は、前記シールの形状及びサイズの少なくとも一方を決定する、請求項１から請求項５のいずれか１項に記載の画像形成装置。
【請求項７】
シール用紙に前記第２画像を形成する画像形成部を更に備える、請求項１から請求項６のいずれか１項に記載の画像形成装置。
【発明の詳細な説明】
【技術分野】
【０００１】
本発明は、画像形成装置に関する。
【背景技術】
【０００２】
特許文献１に記載のプリント装置は、図柄パターン選択手段、文字記憶手段、画像合成手段、画像表示制御手段、及びプリント出力手段を備える。図柄パターン選択手段は、複数種類の図柄パターンから少なくとも１つの図柄パターンを選択する。文字記憶手段は、ユーザーが入力した文字を記憶する。画像合成手段は、図柄パターンと文字画像とを合成し、合成画像を生成する。画像表示制御手段は、合成画像を表示する。プリント出力手段は、合成画像をプリントする。
【先行技術文献】
【特許文献】
【０００３】
【特許文献１】特開平１１−２２７３９２号公報
【発明の概要】
【発明が解決しようとする課題】
【０００４】
しかしながら、特許文献１に記載のプリント装置は、シールを人体の部位に貼り付けたときの外観を示す画像を生成する機能を備えていない。そこで、シールを人体の部位に貼り付けたときに、シールに形成された画像の色及びサイズの少なくとも一方が適正でない可能性がある。
【０００５】
例えば、人種又は日焼けの程度に応じて人体の部位の色が大きく相違する。そこで、シールが貼り付けられる人体の部位の色に拘らずに、シールに形成される画像の色が予め決定されている場合には、画像の色が適正でない可能性がある。また、例えば、性別や年齢（大人か子供か）に応じて人体の部位のサイズが大きく相違する。そこで、人体の部位のサイズに拘らずに、シールに形成される画像のサイズが予め決定されている場合には、画像のサイズが適正でない可能性がある。
【０００６】
本発明は、上記課題に鑑みてなされたものであり、シールを人体の部位に貼り付けたときのサイズ及び色が適切であるか否かを確認できる画像形成装置を提供することを目的としている。
【課題を解決するための手段】
【０００７】
本発明の画像形成装置は、取得部、決定部、生成部、及び表示部を備える。前記取得部は、シールを貼り付ける人体の部位を示す第１画像を取得する。前記決定部は、前記シールに形成する画像を示す第２画像を決定する。前記生成部は、前記第１画像及び前記第２画像に基づき、前記第２画像が形成されたシールを前記部位に貼り付けたときの外観を示す第３画像を生成する。前記表示部は、前記第３画像を表示する。
【発明の効果】
【０００８】
本発明の画像形成装置によれば、シールを人体の部位に貼り付けたときのサイズ及び色が適切であるか否かを確認できる。
【図面の簡単な説明】
【０００９】
【図１】本発明の実施形態に係る画像形成装置の構成を示す図である。
【図２】本発明の実施形態に係る制御部の構成を示す図である。
【図３】取得部、決定部、及び表示部の処理を説明するための図である。
【図４】決定部、及び表示部の処理を説明するための画面図である。
【図５】生成部、表示部、及び調整部の処理を説明するための図である。
【図６】生成部、表示部、判定部、及び分割部の処理を説明するための図である。
【図７】制御部の処理を示すフローチャートである。
【図８】制御部の調整処理を示すフローチャートである。
【図９】制御部の調整処理を示すフローチャートである。
【図１０】制御部の分割処理を示すフローチャートである。
【発明を実施するための形態】
【００１０】
以下、本発明の実施形態について、図面（図１〜図１０）を参照しながら説明する。なお、図中、同一又は相当部分については同一の参照符号を付して説明を繰り返さない。
【００１１】
まず、図１を参照して、本発明の実施形態に係る画像形成装置１について説明する。図１は、画像形成装置１の構成を示す図である。図１に示すように、画像形成装置１は、カラー複合機である。画像形成装置１は、いわゆる、「電子写真方式」でシール用紙Ｐに画像を形成する。シール用紙Ｐを、以下の説明においては、用紙Ｐと記載する場合がある。
【００１２】
画像形成装置１は、制御部１１、給送部１２、搬送部Ｌ、トナー供給ユニット１３、画像形成部１４、定着部１６、排出部１７、及び操作表示部１８を備える。画像形成部１４は、転写部１５を含む。
【００１３】
制御部１１は、プロセッサー１１Ａ、及び記憶部１１Ｂを備える。プロセッサー１１Ａは、例えばＣＰＵ（Ｃｅｎｔｒａｌ  Ｐｒｏｃｅｓｓｉｎｇ  Ｕｎｉｔ）を備える。記憶部１１Ｂは、半導体メモリーのようなメモリーを備え、ＨＤＤ（Ｈａｒｄ  Ｄｉｓｋ  Ｄｒｉｖｅ）を備えてもよい。記憶部１１Ｂは、制御プログラムを記憶している。
【００１４】
給送部１２は、用紙Ｐを搬送部Ｌへ供給する。搬送部Ｌは、用紙Ｐを転写部１５及び定着部１６を経由して排出部１７まで搬送する。
【００１５】
トナー供給ユニット１３は、画像形成部１４にトナーを供給する。画像形成部１４は、用紙Ｐに画像を形成する。本実施形態では、画像形成部１４は、用紙Ｐに画像を形成することによって、いわゆる「タトゥーシール」又は「ボディペイントシール」を作製する。すなわち、画像形成部１４は、人体の一部に貼り付けるシールを作製する。
【００１６】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１７】
定着部１６は、用紙Ｐを加熱及び加圧し、用紙Ｐに形成された画像を用紙Ｐに定着する。排出部１７は、用紙Ｐを画像形成装置１の外部へ排出する。
【００１８】
操作表示部１８は、ユーザーからの操作を受け付ける。操作表示部１８は、タッチパネル１８１及びカメラ１８２を備える。タッチパネル１８１は、例えば、ＬＣＤ（Ｌｉｑｕｉｄ  Ｃｒｙｓｔａｌ  Ｄｉｓｐｌａｙ）を備え、種々の画像を表示する。また、タッチパネル１８１は、タッチセンサーを備え、ユーザーからの操作を受け付ける。
【００１９】
カメラ１８２は、例えば、ＣＣＤ（Ｃｈａｒｇｅ  Ｃｏｕｐｌｅｄ  Ｄｅｖｉｃｅ）素子を備え、人体の部位を撮像する。カメラ１８２の焦点距離は、例えば、１０ｃｍに予め設定されている。ユーザーは、人体の部位（例えば、手）を、カメラ１８２から１０ｃｍの位置に移動して、人体の部位を撮像する。カメラ１８２は、「撮像部」に相当する。
【００２０】
次に、図１及び図２を参照して、本発明の実施形態に係る制御部１１の構成について説明する。図２は、制御部１１の構成を示す図である。図２に示すように、制御部１１は、取得部１１１、決定部１１２、生成部１１３、表示部１１４、調整部１１５、判定部１１６、分割部１１７、及び指示部１１８を備える。具体的には、プロセッサー１１Ａが、記憶部１１Ｂから制御プログラムを読み出して実行することによって、取得部１１１、決定部１１２、生成部１１３、表示部１１４、調整部１１５、判定部１１６、分割部１１７、及び指示部１１８として機能する。
【００２１】
取得部１１１は、人体の部位Ｍを示す第１画像Ｐ１をカメラ１８２から取得する。人体の部位Ｍは、ユーザーがシールＡ（例えば、タトゥーシール）を貼り付ける部位である。ユーザーは、シールＡを貼り付ける部位をカメラ１８２から焦点距離だけ離間した位置に移動する。そして、ユーザーは、カメラ１８２を用いてシールを貼り付ける部位を撮像する。
【００２２】
決定部１１２は、シールＡとして形成する画像を示す第２画像Ｐ２を決定する。
【００２３】
生成部１１３は、第１画像Ｐ１及び第２画像Ｐ２に基づき、第２画像Ｐ２が形成されたシールＡを人体の部位Ｍに貼り付けたときの外観を示す第３画像Ｐ３を生成する。
【００２４】
表示部１１４は、第３画像Ｐ３をタッチパネル１８１に表示する。
【００２５】
調整部１１５は、第２画像Ｐ２のサイズ及び色を調整する。
【００２６】
判定部１１６は、第１画像Ｐ１に基づいて、人体の部位Ｍが人体の複数の部位を含むか否かを判定する。
【００２７】
分割部１１７は、判定部１１６の判定結果に基づいて、第２画像Ｐ２を複数の部位に対応する複数の部分画像に分割する。
【００２８】
指示部１１８は、用紙Ｐに第２画像Ｐ２を形成するよう画像形成部１４に指示する。
【００２９】
以上、図１、及び図２を参照して説明したように、本実施形態によれば、表示部１１４が、人体の部位ＭにシールＡを貼りつけたときの外観を示す第３画像Ｐ３をタッチパネル１８１に表示する。よって、シールＡに形成される第２画像Ｐ２のサイズ及び色が適切であるか否かを確認できる。したがって、シールＡに形成される第２画像Ｐ２のサイズ及び色を調整することが可能になる。
【００３０】
更に、画像形成部１４が、シール用紙Ｐに第２画像Ｐ２を形成する。よって、シールに、適正なサイズ及び色の第２画像Ｐ２を形成することが可能になる。
【００３１】
次に、図１〜図３を参照して、取得部１１１、決定部１１２及び表示部１１４の処理について説明する。図３は、取得部１１１、決定部１１２及び表示部１１４の処理を説明するための図である。
【００３２】
図３の下側に示すように、人体の部位Ｍは、例えば、手の甲Ｍ１である。第１画像Ｐ１は、例えば、手の甲Ｍ１を示す第１画像２０１である。取得部１１１は、第１画像２０１をカメラ１８２から取得する。
【００３３】
決定部１１２は、ユーザーからの指示に基づいて、シールＡの貼付領域Ｒを決定する。貼付領域Ｒは、シールＡが貼り付けられる領域を示す。貼付領域Ｒは、シールＡのサイズを示す。貼付領域Ｒは、例えば、貼付領域Ｒ１である。表示部１１４は、第１画像２０１と貼付領域Ｒ１とをタッチパネル１８１に表示する。
【００３４】
また、図３の上側に示すように、人体の部位Ｍは、例えば、手の指Ｍ２である。指Ｍ２は、人差し指Ｍ２１と中指Ｍ２２とから構成される。第１画像Ｐ１は、例えば、手の指Ｍ２を示す第１画像２０２である。取得部１１１は、第１画像２０２をカメラ１８２から取得する。
【００３５】
決定部１１２は、ユーザーからの指示に基づいて、シールＡの貼付領域Ｒを決定する。貼付領域Ｒは、例えば、貼付領域Ｒ２である。表示部１１４は、第１画像２０２と貼付領域Ｒ２とをタッチパネル１８１に表示する。
【００３６】
以上、図１〜図３を参照して説明したように、本実施形態では、カメラ１８２は、第１画像Ｐ１を生成する。また、カメラ１８２と人体の部位Ｍとの距離は予め設定されているため、第１画像Ｐ１によって、人体の部位Ｍの実際の大きさを認識できる。
【００３７】
また、決定部１１２が、ユーザーからの指示に基づいて、シールＡの貼付領域Ｒを決定する。よって、ユーザーは、所望する位置及びサイズに貼付領域Ｒを決定できる。また、貼付領域Ｒは、シールＡのサイズを示す。したがって、シールＡのサイズを、ユーザーが所望するサイズに決定できる。
【００３８】
次に、図１〜図４を参照して、決定部１１２及び表示部１１４の処理について説明する。図４は、決定部１１２及び表示部１１４を説明するための画面図３００である。表示部１１４は、画面図３００に対応する画面をタッチパネル１８１に表示する。
【００３９】
図４に示すように、画面図３００には、複数の候補画像３０１〜３０６が表示される。候補画像３０１〜３０６は、第２画像Ｐ２の候補となる画像を示す。決定部１１２は、ユーザーからの指示に基づいて、複数の候補画像３０１〜３０６から第２画像Ｐ２を決定する。本実施形態では、例えば、候補画像３０１を第２画像Ｐ２に決定する。
【００４０】
以上、図１〜図４を参照して説明したように、本実施形態では、決定部１１２は、ユーザーからの指示に基づいて、複数の候補画像３０１〜３０６から第２画像Ｐ２を決定する。よって、ユーザーは、シールＡとして形成を所望する第２画像Ｐ２を容易に選択できる。
【００４１】
次に、図１〜図５を参照して、生成部１１３、表示部１１４及び調整部１１５の処理について説明する。図５は、生成部１１３、表示部１１４及び調整部１１５を説明するための図である。
【００４２】
生成部１１３は、第３画像４０１を生成する。第３画像４０１は、第２画像３０１が形成されたシールＡ１を、人体の部位Ｍ（手の甲Ｍ１）に貼り付けたときの外観を示す。具体的には、生成部１１３は、貼付領域Ｒ１のサイズに基づいて、シールＡ１のサイズを決定する。そして、生成部１１３は、第２画像３０１が形成されたシールＡ１の画像を生成する。更に、生成部１１３は、第２画像３０１と第１画像Ｐ１とを合成して、第３画像４０１を生成する。
【００４３】
表示部１１４は、第３画像４０１をタッチパネル１８１に表示する。
【００４４】
調整部１１５は、ユーザーからの指示に基づいて、第２画像３０１のサイズ及び色を調整する。具体的には、調整部１１５は、タッチパネル１８１を介して、ユーザーからの指示を受け付ける。具体的には、第２画像３０１のサイズを調整する場合には、ユーザーは、シールＡ１のサイズを調整する旨の指示を行う。また、第２画像３０１の色を調整する場合には、ユーザーは、タッチパネル１８１を介して、明度、彩度、及び色相をそれぞれ調整する旨の指示を行う。
【００４５】
調整部１１５は、ユーザーからの指示に基づいて、第２画像３０１のサイズ及び色を調整し、調整後の第２画像３０１Ｃを生成する。そして、生成部１１３は、第３画像４０１Ｃを生成する。第３画像４０１Ｃは、第２画像３０１Ｃが形成されたシールＡ１Ｃを、手の甲Ｍ１に貼り付けたときの外観を示す。表示部１１４は、第３画像４０１Ｃをタッチパネル１８１に表示する。
【００４６】
以上、図１〜図５を参照して説明したように、本実施形態では、調整部１１５が第２画像Ｐ２のサイズ及び色を調整する。よって、第２画像Ｐ２のサイズ及び色を調整することができる。
【００４７】
また、調整部１１５は、ユーザーからの指示に基づき、第２画像Ｐ２のサイズ及び色を調整する。具体的には、第２画像Ｐ２のサイズ及び色が、それぞれ、ユーザーの所望するサイズ及び色になるように、ユーザーは、タッチパネル１８１に表示された第３画像Ｐ３を確認しながら、第２画像Ｐ２のサイズ及び色を調整できる。したがって、ユーザーは、シールＡに形成される第２画像Ｐ２のサイズ及び色を適正に調整できる。
【００４８】
次に、図１〜図６を参照して、生成部１１３、表示部１１４、判定部１１６及び分割部１１７の処理について説明する。図６は、生成部１１３、表示部１１４、判定部１１６及び分割部１１７を説明するための図である。
【００４９】
生成部１１３は、第３画像４０２を生成する。第３画像４０２は、第２画像３０１が形成されたシールＡ２を、人体の部位Ｍ（手の指Ｍ２）に貼り付けたときの外観を示す。具体的には、生成部１１３は、貼付領域Ｒ２のサイズに基づいて、シールＡ２のサイズを決定する。そして、生成部１１３は、第２画像３０１が形成されたシールＡ２の画像を生成する。更に、生成部１１３は、第２画像３０１と第１画像２０２とを合成して、第３画像４０２を生成する。
【００５０】
表示部１１４は、第３画像４０２をタッチパネル１８１に表示する。
【００５１】
判定部１１６は、第１画像２０２に基づいて、人体の部位Ｍ（指Ｍ２）が、人体の複数の部位を含むか否かを判定する。図６に示すように、指Ｍ２は、人差し指Ｍ２１と中指Ｍ２２とから構成される。よって、判定部１１６は、人体の部位Ｍ（指Ｍ２）が、人体の複数の部位を含むと判定する。
【００５２】
また、判定部１１６は、ユーザーからの指示に基づき、第２画像３０１を分割した複数の画像に対応する複数のシールを、それぞれ、複数の部位（例えば、人差し指Ｍ２１及び中指Ｍ２２）に貼り付けるか否かを更に判定する。ユーザーは、例えば、人差し指Ｍ２１と中指Ｍ２２とにそれぞれシールを貼り付けることを所望する。そこで、図６に示すように、判定部１１６は、シールＡ２１及びシールＡ２２を、それぞれ、人差し指Ｍ２１及び中指Ｍ２２に貼り付けると判定する。シールＡ２１は、人差し指Ｍ２１に貼り付けるシールを示す。シールＡ２２は、中指Ｍ２２に貼り付けるシールを示す。
【００５３】
分割部１１７は、判定部１１６の判定結果に基づいて、第２画像３０１を複数の部位に対応する複数の部分画像に分割する。具体的には、分割部１１７は、第２画像３０１を、人差し指Ｍ２１に対応する部分画像３０１Ａと、中指Ｍ２２に対応する部分画像３０１Ｂとに分割する。分割線ＤＬは、部分画像３０１Ａと部分画像３０１Ｂとの境界線を示す。すなわち、分割部１１７は、第２画像３０１を分割線ＤＬに沿って分割し、部分画像３０１Ａと部分画像３０１Ｂとを生成する。
【００５４】
更に、指示部１１８は、部分画像３０１Ａが形成されたシールＡ２１を作製するように画像形成部１４に指示する。なお、シールＡ２１は、人差し指Ｍ２１に貼り付けられる。また、指示部１１８は、部分画像３０１Ｂが形成されたシールＡ２２を作製するように画像形成部１４に指示する。シールＡ２２は、中指Ｍ２２に貼り付けられる。
【００５５】
以上、図１〜図６を参照して説明したように、本実施形態では、判定部１１６は、第１画像２０２に基づいて、シールＡ２を貼り付ける人体の部位Ｍが人体の複数の部位（例えば、人差し指Ｍ２１及び中指Ｍ２２）を含むか否かを判定する。分割部１１７は、判定部１１６の判定結果に基づいて、第２画像３０１を複数の部位に対応する複数の部分画像（例えば、部分画像３０１Ａ、及び部分画像３０１Ｂ）に分割する。よって、第２画像３０１が分割されて生成された複数の部分画像３０１Ａ、３０１Ｂに対応する複数のシールＡ２１、Ａ２２を、それぞれ、人差し指Ｍ２１及び中指Ｍ２２に貼り付けることができる。
【００５６】
また、判定部１１６は、複数の部分画像３０１Ａ、３０１Ｂに対応する複数のシールＡ２１、Ａ２２を、それぞれ、複数の部位（例えば、人差し指Ｍ２１及び中指Ｍ２２）に貼り付けるか否かを判定する。複数の部分画像３０１Ａ、３０１Ｂに対応する複数のシールＡ２１、Ａ２２を、それぞれ、複数の部位に貼り付けると判定した場合には、分割部１１７は、第２画像３０１を複数の部位に対応する複数の部分画像３０１Ａ、３０１Ｂに分割する。よって、分割部１１７が、第２画像３０１を複数の部分画像３０１Ａ、３０１Ｂに分割するか否かを的確に判定できる。
【００５７】
更に、判定部１１６は、ユーザーからの指示に基づき、第２画像３０１を分割した複数の部分画像３０１Ａ、３０１Ｂに対応する複数のシールＡ２１、Ａ２２を、それぞれ、複数の部位（例えば、人差し指Ｍ２１及び中指Ｍ２２）に貼り付けるか否かを判定する。よって、ユーザーが所望するか否かに応じて、複数のシールＡ２１、Ａ２２を、それぞれ、複数の部位に貼り付けるか否かを判定できる。
【００５８】
次に、図１〜図９を参照して、制御部１１の処理について説明する。図７は、制御部１１の処理を示すフローチャートである。図８及び図９は、制御部１１の「調整処理」を示すフローチャートである。図１０は、制御部１１の「分割処理」を示すフローチャートである。「調整処理」は、第２画像Ｐ２のサイズ及び色を調整する処理を示す。「分割処理」は、第２画像Ｐ２を複数の部位に対応する複数の部分画像に分割する処理を示す。
【００５９】
図７に示すように、まず、ステップＳ１０１において、制御部１１の指示に従って、カメラ１８２が第１画像Ｐ１を生成する。第１画像Ｐ１は、人体の部位Ｍを示す。
次に、ステップＳ１０３において、取得部１１１が第１画像Ｐ１をカメラ１８２から取得する。
そして、ステップＳ１０５において、決定部１１２が第２画像Ｐ２を決定する。第２画像Ｐ２は、シールＡに形成する画像を示す。
次に、ステップＳ１０７において、生成部１１３が第３画像Ｐ３を生成する。
第３画像Ｐ３は、第２画像Ｐ２が形成されたシールＡを人体の部位Ｍに貼り付けたときの外観を示す。
そして、ステップＳ１０９において、表示部１１４は、第３画像Ｐ３をタッチパネル１８１に表示する。
次に、ステップＳ１１１において、制御部１１は「調整処理」を行う。
【００６０】
そして、ステップＳ１１３において、制御部１１は「分割処理」を行う。
次に、ステップＳ１１５において、制御部１１はシールＡに第２画像Ｐ２を形成するか否かを判定する。
第２画像Ｐ２を形成しないと制御部１１が判定した場合（ステップＳ１１５でＮＯ）には、処理がステップＳ１１１に戻る。第２画像Ｐ２を形成すると制御部１１が判定した場合（ステップＳ１１５でＹＥＳ）には、処理がステップＳ１１７に進む。
そして、ステップＳ１１７において、指示部１１８が、シールＡに第２画像Ｐ２を形成して、処理が終了する。
【００６１】
次に、図２、図８及び図９を参照して、図７のステップＳ１１１において実行される「調整処理」について説明する。
まず、ステップＳ２０１において、調整部１１５は、第２画像Ｐ２のサイズを調整するか否かを判定する。
第２画像Ｐ２のサイズを調整しないと調整部１１５が判定した場合（ステップＳ２０１でＮＯ）には、処理が図９のステップＳ２１５に進む。第２画像Ｐ２のサイズを調整すると判定した場合（ステップＳ２０１でＹＥＳ）には、処理がステップＳ２０３に進む。
そして、ステップＳ２０３において、調整部１１５が選択可能なサイズをタッチパネル１８１に表示する。
次に、ステップＳ２０５において、調整部１１５がユーザーからの指示を受け付けたか否かを判定する。
ユーザーからの指示を受け付けていないと調整部１１５が判定した場合（ステップＳ２０５でＮＯ）には、処理が待機状態になる。ユーザーからの指示を受け付けたと調整部１１５が判定した場合（ステップＳ２０５でＹＥＳ）には、処理がステップＳ２０７に進む。
【００６２】
そして、ステップＳ２０７において、調整部１１５が、第２画像Ｐ２のサイズをステップＳ２０５で指示されたサイズに調整する。
次に、ステップＳ２０９において、生成部１１３が、第３画像Ｐ３を生成する。
そして、ステップＳ２１１において、表示部１１４が、第３画像Ｐ３をタッチパネル１８１に表示する。
次に、ステップＳ２１３において、調整部１１５が、第２画像Ｐ２のサイズの調整が完了したか否かを判定する。
第２画像Ｐ２のサイズの調整が完了していないと判定した場合（ステップＳ２１３でＮＯ）には、処理がステップＳ２０３に戻る。第２画像Ｐ２のサイズの調整が完了したと判定した場合（ステップＳ２１３でＹＥＳ）には、処理が図９のステップＳ２１５に進む。
【００６３】
そして、図９に示すステップＳ２１５において、調整部１１５は、第２画像Ｐ２の色を調整するか否かを判定する。
第２画像Ｐ２の色を調整しないと判定した場合（ステップＳ２１５でＮＯ）には、処理が図７のステップＳ１１３に進められる。第２画像Ｐ２の色を調整すると判定した場合（ステップＳ２１５でＹＥＳ）には、処理がステップＳ２１７に進む。
次に、ステップＳ２１７において、調整部１１５は、色調整画面をタッチパネル１８１に表示する。色調整画面は、ユーザーからの指示に基づいて、第２画像Ｐ２の明度、彩度、及び色相をそれぞれ調整する画面を示す。
そして、ステップＳ２１９において、調整部１１５は、ユーザーからの指示を受け付けたか否かを判定する。
ユーザーからの指示を受け付けていないと調整部１１５が判定した場合（ステップＳ２１９でＮＯ）には、処理が待機状態になる。ユーザーからの指示を受け付けたと調整部１１５が判定した場合（ステップＳ２１９でＹＥＳ）には、処理がステップＳ２２１に進む。
【００６４】
そして、ステップＳ２２１において、調整部１１５は、第２画像Ｐ２の色をステップＳ２１９で受け付けたユーザーからの指示に従って調整する。
次に、ステップＳ２２３において、生成部１１３が、第３画像Ｐ３を生成する。
そして、ステップＳ２２５において、表示部１１４が、第３画像Ｐ３をタッチパネル１８１に表示する。
次に、ステップＳ２２７において、調整部１１５が、第２画像Ｐ２の色の調整が完了したか否かを判定する。
第２画像Ｐ２の色の調整が完了していないと判定した場合（ステップＳ２２７でＮＯ）には、処理がステップＳ２１７に戻る。第２画像Ｐ２の色の調整が完了したと判定した場合（ステップＳ２２７でＹＥＳ）には、「調整処理」を終了し、処理が図７のステップＳ１１３に進む。
【００６５】
次に、図２及び図１０を参照して、図７のステップＳ１１３において実行される「分割処理」について説明する。
まず、ステップＳ３０１において、判定部１１６が、人体の部位Ｍが複数の部位を含むか否かを判定する。
人体の部位Ｍが複数の部位を含まないと判定部１１６が判定した場合（ステップＳ３０１でＮＯ）には、「分割処理」を終了し、処理が図７のステップＳ１１５に進む。人体の部位Ｍが複数の部位を含むと判定部１１６が判定した場合（ステップＳ３０１でＹＥＳ）には、処理がステップＳ３０３に進む。
そして、ステップＳ３０３において、判定部１１６が、第２画像Ｐ２を複数の画像に分割するか否かを判定する。具体的には、判定部１１６は、ユーザーからの指示に基づいて、第２画像Ｐ２を分割した複数の画像に対応する複数のシールを、それぞれ、複数の部位に貼り付けるか否かを判定する。
第２画像Ｐ２を複数の画像に分割しないと判定部１１６が判定した場合（ステップＳ３０３でＮＯ）には、処理がステップＳ３１１に進む。第２画像Ｐ２を複数の画像に分割すると判定部１１６が判定した場合（ステップＳ３０３でＹＥＳ）には、処理がステップＳ３０５に進む。
【００６６】
そして、ステップＳ３０５において、分割部１１７が第２画像Ｐ２を複数の部位に対応する複数の部分画像に分割する。
次に、ステップＳ３０７において、生成部１１３が、第３画像Ｐ３を生成する。第３画像Ｐ３は、分割線ＤＬの画像を含む。分割線ＤＬは、複数の部分画像の境界線を示す。
そして、ステップＳ３０９において、表示部１１４が、第３画像Ｐ３をタッチパネル１８１に表示する。
次に、ステップＳ３１１において、分割部１１７が「分割処理」を終了するか否かを判定する。
「分割処理」を終了しないと分割部１１７が判定した場合（ステップＳ３１１でＮＯ）には、処理がステップＳ３０３に戻る。「分割処理」を終了すると分割部１１７が判定した場合（ステップＳ３１１でＹＥＳ）には、「分割処理」を終了し、処理が図７のステップＳ１１５に進む。
【００６７】
以上、図１〜図１０を参照して説明したように、本実施形態では、生成部１１３が、分割線ＤＬの画像を含む第３画像Ｐ３を生成し、表示部１１４が、第３画像Ｐ３をタッチパネル１８１に表示する。よって、第２画像Ｐ２が複数の部分画像に分割されることを、ユーザーが確認できる。
【００６８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００６９】
（１）図１を参照して説明したように、画像形成装置１はカラー複合機であるが、本発明はこれに限定されない。画像形成装置がシール用紙Ｐに画像を形成する形態であればよい。例えば、画像形成装置がカラー複写機である形態でもよい。また、例えば、画像形成装置がカラープリンターである形態でもよい。
【００７０】
（２）図１を参照して説明したように、画像形成装置１がカメラ１８２を備えるが、本発明はこれに限定されない。画像形成装置１がカメラ１８２を備えない形態でもよい。この形態では、画像形成装置１（取得部１１１）が第１画像Ｐ１を外部機器から取得する。外部機器は、撮像部を備える機器であって、例えば、スマートフォン、又はデジタルカメラのような機器である。
【００７１】
（３）図２〜図９を参照して説明したように、調整部１１５が第２画像Ｐ２のサイズ及び色を調整するが、本発明はこれに限定されない。調整部１１５が第２画像Ｐ２のサイズ及び色のいずれか一方を調整する形態であればよい。例えば、調整部１１５が第２画像Ｐ２のサイズのみを調整する形態でもよい。また、例えば、調整部１１５が第２画像Ｐ２の色のみを調整する形態でもよい。
【００７２】
（４）図２〜図９を参照して説明したように、調整部１１５が第２画像Ｐ２のサイズ及び色を調整するが、本発明はこれに限定されない。調整部１１５が第２画像Ｐ２のサイズ及び色の少なくとも一方を調整する形態であればよい。例えば、調整部１１５が第２画像Ｐ２のサイズのみを調整する形態でもよい。また、例えば、調整部１１５が第２画像Ｐ２の色のみを調整する形態でもよい。
【００７３】
（５）図２〜図９を参照して説明したように、生成部１１３がシールＡのサイズを決定するが、本発明はこれに限定されない。生成部１１３がシールＡの形状及びサイズの少なくとも一方を決定する形態であればよい。例えば、生成部１１３がシールＡの形状のみを決定する形態でもよい。なお、シールＡの形状は、例えば、ハート形、円形、楕円形、及び矩形のような形状を含む。
【００７４】
（６）図２〜図９を参照して説明したように、調整部１１５がユーザーからの指示に基づいて、第２画像Ｐ２の色を調整するが、本発明はこれに限定されない。調整部１１５が第２画像Ｐ２の色を調整する形態であれよい。例えば、調整部１１５が、第３画像Ｐ３の色が所定の色になるように第２画像Ｐ２の色を調整する形態でもよい。この形態では、ユーザーが色の調整を指示する必要がないため、ユーザーの画像形成装置１に対する操作を簡略化できる。
【産業上の利用可能性】
【００７５】
本発明は、画像形成装置に関するものであり、産業上の利用可能性を有する。
【符号の説明】
【００７６】
１    画像形成装置
１１    制御部
１１１    取得部
１１２    決定部
１１３    生成部
１１４    表示部
１１５    調整部
１１６    判定部
１１７    分割部
１１８    指示部
１４    画像形成部
１８    操作表示部
１８１    タッチパネル
１８２    カメラ
Ａ    シール
Ｐ    シール用紙
Ｐ１    第１画像
Ｐ２    第２画像
Ｐ３    第３画像
Ｍ    人体の部位
【図１】
2018169669.tif 000003
【図２】
2018169669.tif 000004
【図３】
2018169669.tif 000005
【図４】
2018169669.tif 000006
【図５】
2018169669.tif 000007
【図６】
2018169669.tif 000008
【図７】
2018169669.tif 000009
【図８】
2018169669.tif 000010
【図９】
2018169669.tif 000011
【図１０】
2018169669.tif 000012